(57)【特許請求の範囲】
【請求項１】
外部の電力供給電源と負荷との間に接続され、前記負荷が消費する電力量を計量する電力量計であって、
電力量を表示する表示部を有し、電力量計量部を内装し、且つ配線接続部を有する筐体と、
前記配線接続部に、前記電力供給電源の複数の配線が接続される電源側配線接続部及び前記負荷側の複数の配線が接続される負荷側配線接続部と、前記電力量を計測する電力量計量部と、前記負荷側配線接続部と前記電力量計量部との間の電路に配設され、該電路の導通及び非導通を選択可能な電路開閉部とが配置され、
前記電路開閉部が導通状態であるときに装着不能で、且つ非導通状態であるときに、当該電路開閉部に着脱可能に装着され、前記電路開閉部をバイパスして導通及び非導通を制御する電路開閉制御部を備えたことを特徴とする電力量計。
【請求項２】
前記電路開閉部は、前記負荷側配線接続部に接続される負荷側接続端子と、前記電力量計量部に接続される電力量計側接続端子と、前記負荷側接続端子と前記電力量計側接続端子との間を導通する導通位置及び非導通とする非導通位置との間で可動可能なバイパス金具とから構成されていることを特徴とする請求項１に記載の電力量計。
【請求項３】
前記バイパス金具は、前記導通位置及び前記非導通位置のそれぞれで固定部材によって固定されるように構成されていることを特徴とする請求項２に記載の電力量計。
【請求項４】
前記バイパス金具は、自重によって下降したときに、前記負荷側接続端子と前記電力計側接続端子との間が非導通状態となるように配設されていることを特徴とする請求項２又は３に記載の電力量計。
【請求項５】
前記電路開閉制御部は、前記電路開閉部の前記負荷側接続端子及び前記電力量計側接続端子に個別に接触される一対の接続端子を有し、各一対の接続端子間に個別に開閉リレーが介装され、該開閉リレーを外部からの開閉信号によって駆動されるリレー駆動部で駆動制御するように構成されていることを特徴とする請求項１乃至４の何れか１項に記載の電力量計。
【請求項６】
前記外部の開閉信号は無線送受信部から供給されることを特徴とする請求項５に記載の電力量計。
【請求項７】
前記電路開閉制御部は、前記バイパス金具を固定する固定部材によって固定されることを特徴とする請求項３乃至６の何れか１項に記載の電力量計。
【請求項８】
前記電路開閉制御部は、前記バイパス金具が正規の非導通位置にあるときに、電路開閉部に装着可能とされていることを特徴とする請求項２乃至７の何れか１項に記載の電力量計。
【発明の詳細な説明】
【技術分野】
【０００１】
本発明は、外部の電力供給電源と負荷との間に接続され、前記負荷が消費する電力量を計測する電力量計に関する。
【背景技術】
【０００２】
この種の電力量計は、電力会社が電力の需要家に対して電力供給電源と負荷との間に設置して、負荷の消費電力量を計測するものであるが、電気料金の未払いの需要家に対して、電力量計の負荷側の配線を外すことで電力供給を停止したり、電力量計内部や外部に開閉器を取付けたりすることで電力供給の停止を行なうようにしているのが一般的である。
このような電力量計として、例えば、電力量計との電気的接続及び電気的切断の両方を可能とする給電開閉装置であって、電力量計と電気接続する電力量計測接続部と引き込み線又は需要家線と電気接続する配線側接続部と、電力量計測側接続部と配線側接続部との装置内電気的接続及び切断を行なう電気導通開閉部とを備えて構成される給電開閉装置が提案されている（例えば、特許文献１参照）。
【０００３】
また、固定台と押さえ台の対向部分に、電力量計の負荷側の電線の配置に合わせた間隔で３本の平行な溝を形成し、この溝に取り外そうとする負荷側の電線をそれぞれ挟み込んでから固定台と押さえ台の両端部に螺着されている蝶ナットと蝶ボルトを締めつけることにより、電線の配置をそのままにして保持する。この状態から負荷側の電鍵をまとめて同時に引き抜くとともに、さらに、送電を再開する場合は外した電線をそのまま電力量計の接続部に装入して接続するようにした電力量計用電線固定工具が提案されている（例えば、特許文献２参照）。
【特許文献１】特開２００２−９８７１６号公報
【特許文献２】特開平８−１４６０４２号公報
【発明の開示】
【発明が解決しようとする課題】
【０００４】
しかしながら、上記特許文献１に記載の従来例にあっては、電力量計の端子台に給電開閉装置を設けることにより、その電気導通開閉部によって、電力量計側接続部と配線側接続部との装置内電気的接続及び切断を行なうことができるものであるが、給電開閉装置を引き込み線と電力量計との間に接続する必要があり、給電開閉装置の取付作業が簡略化されているものの引き込み線を電力量計から引き外して給電開閉装置に接続し、この給電開閉装置の出力側の接続線を電力量計に接続する必要があり、短絡事故等の危険性が伴うと共に、開閉器を取付るためのスペースがない場合には開閉器の取付けができないという未解決の課題がある。
【０００５】
また、上記特許文献２に記載の従来例にあっては、電力量計用電線固定工具で電力量計の負荷側配線の配置関係をそのままの状態で固定して、同時に引き抜くことができるので、負荷側配線の短絡や誤接続を防止することができるものであるが、この場合でも電力量計から負荷側配線を引き抜く必要があり、電線を引き抜くことなく電力量計と負荷側の配線とを非導通状態とすることができないという未解決の課題がある。
そこで、本発明は、上記従来例の未解決の課題に着目してなされたものであり、電力量計に接続されている配線を外すことなく、電力量計側接続端子と負荷側接続端子との間の導通及び非導通を選択することができる電力量計を提供することを目的としている。
【課題を解決するための手段】
【０００６】
上記目的を達成するために、請求項１に係る電力量計は、外部の電力供給電源と負荷との間に接続され、前記負荷が消費する電力量を計量する電力量計であって、電力量を表示する表示部を有し、電力量計量部を内装し、且つ配線接続部を有する筐体と、前記配線接続部に、前記電力供給電源の複数の配線が接続される電源側配線接続部及び前記負荷側の複数の配線が接続される負荷側配線接続部と、前記電力量を計測する電力量計量部と、前記負荷側配線接続部と前記電力量計量部との間の電路に配設され、該電路の導通及び非導通を選択可能な電路開閉部とが配置され、前記電路開閉部が導通状態であるときに装着不能で、且つ非導通状態であるときに、当該電路開閉部に着脱可能に装着され、前記電路開閉部をバイパスして導通及び非導通を制御する電路開閉制御部を備えたことを特徴としている。
【０００７】
また、請求項２に係る電力量計は、請求項１に係る発明において、前記電路開閉部は、前記負荷側配線接続部に接続される負荷側接続端子と、前記電力量計量部に接続される電力量計側接続端子と、前記負荷側接続端子と前記電力量計側接続端子との間を導通する導通位置及び非導通とする非導通位置との間で可動可能なバイパス金具とから構成されていることを特徴としている。
【０００８】
さらに、請求項３に係る電力量計は、請求項２に係る発明において、前記バイパス金具は、前記導通位置及び前記非導通位置のそれぞれで固定部材によって固定されるように構成されていることを特徴としている。
さらにまた、請求項４に係る電力量計は、請求項２又は３に係る発明において、前記バイパス金具は、自重によって下降したときに、前記負荷側接続端子及前記電力計側接続端子間が非導通状態となるように配設されていることを特徴としている。
【０００９】
なおさらに、請求項５に係る電力量計は、請求項１乃至４の何れか１つに係る発明において、前記電路開閉制御部は、前記電路開閉部の前記負荷側接続端子及び前記電力量計側接続端子に個別に接触される一対の接続端子を有し、各一対の接続端子間に個別に開閉リレーが介装され、該開閉リレーを外部からの開閉信号によって駆動されるリレー駆動部で駆動制御するように構成されていることを特徴としている。
【００１０】
また、請求項６に係る電力量計は、請求項５に係る発明において、前記外部の開閉信号は無線送受信部から供給されることを特徴としている。
さらに、請求項７に係る電力量計は、請求項３乃至６の何れか１つに係る発明において、前記電路開閉制御部は、前記バイパス金具を固定する固定部材によって固定されることを特徴としている。
さらにまた、請求項８に係る電力量計は、請求項２乃至７の何れか１つに係る発明において、前記電路開閉制御部は、前記バイパス金具が正規の非導通位置にあるときに、電路開閉部に装着可能とされていることを特徴としている。
【発明の効果】
【００１１】
本発明によれば、負荷側配線接続部と電力量計量部間に両者間の導通及び非導通を選択可能な電路開閉部を配設し、この電路開閉部が非導通状態であるときに、この電路開閉部に着脱可能に装着されて導通及び非導通を制御する電路開閉制御部を有するので、電路開閉部で負荷側配線接続部と電力量計量部とを非導通状態とした状態で、電路開閉制御部を電路開閉部に装着することにより、負荷側配線接続部及び電力量計量部との接続を導通及び非導通に制御することができ、負荷側配線接続部及び電源側配線接続部での配線を外すことなく負荷側配線接続部と電力量計量部との間の導通及び非導通を制御することができるという効果が得られる。
【００１２】
また、電路開閉部を、負荷側配線接続部に接続される負荷側接続端子と、電力量計量部に接続される電力量計側接続端子と、負荷側接続端子と電力量計側接続端子との間を導通する導通位置及び非導通とする非導通位置との間で可動可能なバイパス金具とから構成することにより、バイパス金具を可動させるだけで、負荷側接続端子及び電力量計側接続端子間の導通及び非導通を容易に選択することができるという効果が得られる。
【００１３】
さらに、前記バイパス金具は、前記導通位置及び前記非導通位置のそれぞれで固定部材によって固定されるように構成されているので、バイパス金具の導通位置及び非導通位置を固定ネジ等の固定部材で確実に固定することができる。
さらにまた、バイパス金具は、自重によって下降したときに、前記負荷側接続端子及前記電力量計側接続端子間が非導通状態となるように配設することにより、バイパス金具の固定部材を外すだけで非導通状態を容易に形成することができる。
【００１４】
なおさらに、電路開閉制御部を、前記電路開閉部の前記負荷側接続端子及び前記電力量計側接続端子に個別に接触される一対の接続端子を有し、各一対の接続端子間に個別に開閉リレーが介装され、該開閉リレーを外部からの開閉信号によって駆動されるリレー駆動部で駆動制御するように構成することにより、リレー駆動部で開閉リレーを駆動することにより、負荷側接続端子及び電力量計側接続端子間の導通及び非導通を容易に制御することができる。
【００１５】
また、外部の開閉信号を無線送受信部から供給することにより、無線通信を使用して遠隔操作することができる。
さらに、前記電路開閉制御部を、前記バイパス金具を固定する固定部材によって固定することにより、固定部材を紛失することを確実に防止することができる。
さらにまた、前記電路開閉制御部は、前記バイパス金具が正規の非導通位置にあるときに、電路開閉部に装着可能とされているので、バイパス金具が正規の非導通位置以外にあるときには電路開閉制御部を装着できないので、バイパス金具で導通位置にある状態で不用意に電路開閉制御部の装着を確実に防止することができる。
【発明を実施するための最良の形態】
【００１６】
以下、本発明の実施の形態を図面に基づいて説明する。
図１は、本発明の一実施形態を示す導通状態の正面図、図２は図１の斜視図、図３は非導通状態の正面図、図４は非導通状態の電路開閉制御部を装着する状態を示す斜視図である。
図中、１は電力量計であって、電力量を表示する表示部２を有する筐体３を有する。この筐体３は、上部に電力量を表示する表示部２が形成され、下部に配線接続部４が形成されている。
【００１７】
この配線接続部４は、絶縁性を有する例えば熱硬化性合成樹脂材で構成され、電力会社の電力供給電源に接続された単相３線式の電源側配線５ａ〜５ｃと、同様に単相３線式の負荷側配線６ａ〜６ｃとが接続される電源側配線接続部７ａ〜７ｃ及び負荷側配線接続部８ａ〜８ｃが設けられた端子台９を有する。
また、配線接続部４は、端子台９における電源側配線接続部７ａ〜７ｃのうちの電力線及び中性線となる電源側配線接続部７ａ及び７ｂの上方位置に電源供給部１０ａ及び１０ｂが形成されている。この電源供給部１０ａ及び１０ｂは、方形孔部１１ａ及び１１ｂの底部に電源側配線接続部７ａ及び７ｂに電気的に接続された導電板１２ａ及び１２ｂが配設されている。
【００１８】
また、配線接続部４は、負荷側配線接続部８ａ〜８ｃのうちの電力線となる負荷側配線接続部８ａ及び８ｃに対応する上方位置にそれぞれ電路開閉部２１ａ及び２１ｃが形成されている。
これら電路開閉部２１ａ及び２１ｃは、配線接続部４に形成された前面を開放した略方形の収容孔部２２ａ及び２２ｃを有し、これら収容孔部２２ａ及び２２ｃの底部に上下方向に所定間隔を保って絶縁して配置された負荷側接続端子２３ａ及び２３ｃと電力量計側接続端子２４ａ及び２４ｃとが固定配置されている。ここで、負荷側接続端子２３ａ及び２３ｃは配線接続部４の内部を通じて負荷側配線接続部８ａ及び８ｃに電気的に接続されている。また、電力量計側接続端子２４ａ及び２４ｃは図１で破線図示の電力量計量部２５に電気的に接続されている。さらに、負荷側接続端子２３ａ及び２３ｃと電力量計側接続端子２４ａ及び２４ｂの前面中心部に雌ねじが形成されている。
【００１９】
そして、収容孔部２２ａ及び２２ｃの底部における負荷側接続端子２３ａ及び２３ｃと電力量計側接続端子２４ａ及び２４ｃの中間部における左右内壁位置に底面から所定距離前方に離れ且つ内方に突出する一対のガイド片２６ａ及び２６ｃが形成されている。そして、この一対のガイド片２６ａ及び２６ｃによって導電性部材で形成されたバイパス金具２７ａ及び２７ｃが上下方向に摺動可能に案内されている。このバイパス金具２７ａ及び２７ｃの夫々は、図３に示すように、長方形板部左右方向の中央部に上端及び下端からそれぞれ下方及び上方に延長するスリット２８ｕ及び２８ｄが形成されて正面から見て略Ｈ字状に形成されている。ここで、上方側のスリット２８ｕの長さに対して下方側のスリット２８ｄの長さが長く設定されている。
【００２０】
このため、バイパス金具２７ａ及び２７ｃを、図１に示すように、上方の導通位置に摺動させることにより、バイパス金具２７ａ及び２７ｃで負荷側接続端子２３ａ及び２３ｃと電力量計側接続端子２４ａ及び２４ｃとを電気的に接続する導通状態とすることができる。
この状態で、スリット２８ｕを電力量計側接続端子２４ａ及び２４ｃの雌ねじと一致させて、バイパス金具２７ａ及び２７ｃの正面側から雄ねじ２９ａ及び２９ｃを電力量計側接続端子２４ａ及び２４ｃに形成した雌ねじに螺合させて締付けることにより固定する。また、バイパス金具２７ａ及び２７ｃのスリット２８ｄを負荷側接続端子２３ａ及び２３ｃの雌ねじに一致させて、バイパス金具２７ａ及び２７ｃの正面側から雄ねじ３０ａ及び３０ｃを負荷側接続端子２３ａ及び２３ｃに形成した雌ねじに螺合させて締付けることにより固定する。
【００２１】
一方、この導通状態から、雄ねじ２９ａ，２９ｃ及び３０ａ，３０ｃを緩めることにより、バイパス金具２７ａ及び２７ｃの拘束を解除すると、バイパス金具２７ａ及び２７ｃがフリーの状態となる。このため、バイパス金具２７ａ及び２７ｃの自重によって下方に落下し、バイパス金具２７ａ及び２７ｃの下側スリット２８ｕの上端が雄ねじ３０ａ及び３０ｃに係合する状態となる。
【００２２】
この状態では、図３に示すように、バイパス金具２７ａ及び２７ｃの上端が電力量計側接続端子２４ａ及び２４ｃから下方に離間して、バイパス金具２７ａ及び２７ｃによる負荷側接続端子２３ａ及び２３ｃと電力量計側接続端子２４ａ及び２４ｃの導通状態が解除されて非導通状態となる。
このように非導通状態となると、図４に示すように、電路開閉制御部４０を電路開閉部２１ａ及び２１ｃに装着可能となる。
【００２３】
この電路開閉制御部４０は、図５（ａ）〜（ｃ）に示すように、配線接続部４を覆う形状の筐体４１を有し、この筐体４１の背面側に電路開閉部２１ａ及び２１ｃ内に挿通可能で且つ負荷側接続端子２３ａ及び２３ｃと電力量計側接続端子２４ａ及び２４ｃと対向する突出筒部４２ａ，４２ｃ及び４３ａ，４３ｃが形成されている。
これら突出筒部４２ａ，４２ｃ及び４３ａ，４３ｃの先端にはそれぞれ負荷側接続端子２３ａ，２３ｃ及び電力量計側接続端子２４ａ，２４ｃに接触する接続端子４４ａ，４４ｃ及び４５ａ，４５ｃが配設されている。これら接続端子４４ａ，４４ｃ及び４５ａ，４５ｃの中央部には前述した雄ねじ２９ａ，２９ｃ及び３０ａ，３０ｃを挿通する挿通孔４６ａ，４６ｃ及び４７ａ，４７ｃが形成されている。
【００２４】
そして、突出筒部４２ａ，４２ｃの突出筒部４３ａ，４３ｃ側の端面に電路開閉部２１ａ及び２１ｃの負荷側接続端子２３ａ，２３ｃ及び電力量計側接続端子２４ａ，２４ｃ間に挿通される誤装着防止用突出片４８ａ及び４８ｃが形成されている。
さらに、筐体４１の背面側には電源側配線接続部７ａ及び７ｂの上方側に形成された電源供給部１０ａ及び１０ｂの方形孔部１１ａ及び１１ｂに挿通されて、その底部に配設された導電板１２ａ及び１２ｂに接触する電源接触子４９ａ及び４９ｂが突出形成されている。これら電源接触子４９ａ及び４９ｂのそれぞれは、図５（ｂ）に示すように、筐体４１内に一端が固定されたＬ字状の導電性バネ材で構成され、筐体４１の背面側に形成された突出筒５０ａ及び５０ｂを通じてその先端から突出している。
【００２５】
そして、筐体４１内に、図６で模式的に示すように、接続端子４４ａ及び４５ａと接続端子４４ｃ及び４５ｃとの間にそれぞれ電源リレー５１ａ及び５１ｃが接続され、これら電源リレー５１ａ及び５１ｃが電源接触子４９ａ及び４９ｂから電力が供給されたリレー駆動回路５２によってオン・オフ制御される。ここで、リレー駆動回路５２は、外部の信号送受信部５３で受信した開閉信号ＳＯがオン状態であるときに電源リレー５１ａ及び５１ｃをオン状態に制御する。ここで、信号送受信部５３は、電力会社の制御装置（図示せず）から送信される開閉信号を無線通信又は有線通信で受信する。
【００２６】
次に、上記実施形態の動作を説明する。
通常の電力需要家に対して電力量計１を取付けるには、任意の壁部等の固定部に電力量計１を取付け、電路開閉部２１ａ及び２１ｃのバイパス金具２７ａ及び２７ｃを導通位置としておく。
このバイパス金具２７ａ及び２７ｃによる導通状態で、電力量計１の配線接続部４における端子台９の電源側配線接続部７ａ〜７ｃに電力会社の電源側配線５ａ〜５ｃを接続すると共に、負荷側配線接続部８ａ〜８ｃに負荷側配線６ａ〜６ｃを接続する。
【００２７】
この状態では、負荷側接続部８ａ〜８ｃが電路開閉部２１ａ及び２１ｃを通じて電力量計量部２５に接続されて、需要家が消費する電力量を電力量計量部２５で計測して、表示部２に表示する。
この通常状態から、需要家が電力料金の未納状態となって、該当する需要家への電力供給を遮断したい場合には、先ず、電路開閉部２１ａ及び２１ｃの雄ねじ２９ａ，２９ｃ及び３０ａ，３０ｃを緩める。
【００２８】
この状態となると、バイパス金具２７ａ及び２７ｃの拘束が解かれるので、バイパス金具２７ａ及び２７ｃが自重によって下降し、非導通位置に達する。この非導通位置では、図３に示すように、バイパス金具２７ａ及び２７ｃが負荷側接続端子２３ａ及び２３ｃには接触するが電力量計側接続端子２４ａ及び２４ｃとは離間した状態となり、電力量計量部２５が負荷側配線接続部８ａ〜８ｃから切り離された状態となる。この状態で、雄ねじ２９ａ，２９ｃ及び３０ａ，３０ｃを取り外し、電路開閉制御部４０を電路開閉部２１ａ及び２１ｃに装着する。
この電路開閉制御部４０の装着は、電路開閉制御部４０を把持して、図４に示すように、背面側の突出筒部４２ａ，４２ｃ及び４３ａ，４３ｃを電路開閉部２１ａ及び２１ｃに挿通すると共に、電源接触子４９ａ及び４９ｂを配線接続部４の電源供給部１０ａ及び１０ｂに挿通する。
【００２９】
このとき、バイパス金具２７ａ及び２７ｃが図３に示すように、正規の非導通位置にある場合には、誤装着防止用突出片４８ａ及び４８ｃが負荷側接続端子２３ａ，２３ｃ及び電力量計側接続端子へ２４ａ，２４ｃ間に挿通されるので、電路開閉制御部４０の突出筒部４２ａ、４２ｃ及び４３ａ，４３ｃの先端に固定された接続端子４４ａ，４４ｃ及び４５ａ，４５ｃが負荷側接続端子２３ａ，２３ｃ及び電力量計側接続端子２４ａ，２４ｃに接触する。これと同時に、電源接触子４９ａ及び４９ｂが電源供給部１０ａ及び１０ｂ内に挿通されて導電板１２ａ及び１２ｂに接触する。このとき、電源接触子４９ａ及び４９ｂは自己のバネ作用によって、所定の接触圧を持って導電板１２ａ及び１２ｂに接触し、電源側配線接続部８ａ及び８ｂの電力がリレー駆動回路５２に供給される。
【００３０】
このとき、電力会社から信号送受信部５３に供給される開閉信号ＳＯがオフ状態であるときには、リレー駆動回路５２がオフ状態を維持し、電源リレー５１ａ及び５１ｃがオフ状態を維持し、電力量計量部２５と負荷側配線接続部８ａ及び８ｃとが遮断状態を維持し、負荷側接続端子８ａ及び８ｃへ向かう電力供給が停止される。
この状態で、電路開閉制御部４０の突出筒部４２ａ，４２ｃ及び４３ａ，４３ｃ内に雄ねじ２９ａ，２９ｃ及３０ａ，３０ｃを挿通して電路開閉部２１ａ及び２１ｃの負荷側接続端子２３ａ，２３ｃ及び電力量計側接続端子２４ａ，２４ｃの雌ねじに螺合させて締め付けることにより、電路開閉制御部４０を配線接続部４に固定する。
【００３１】
このように配線接続部４の電路開閉部２１ａ，２１ｃに電路開閉制御部４０を装着すると、以後は、電力料金の未払い状態が解消したときに、電力会社から信号送受信部５３にオン状態の開閉信号を送信することにより、信号送受信部５３からリレー駆動回路５２にオン状態の開閉信号が送信される。このため、リレー駆動回路５２が作動状態となって電源リレー５１ａ及び５１ｃをオン状態に制御する。このため、電力量計量部２５の電路開閉制御部４０を通じて負荷側配線接続部８ａ及び８ｃが接続されることになり、電源側配線接続部７ａ〜７ｃに供給される電力が電力量計量部２５を介して負荷側配線接続部８ａ〜８ｃを介して負荷側配線８ａ〜８ｃに出力されて、電力需要家に供給される。
【００３２】
なお、電路開閉制御部４０を電路開閉部２１ａ及び２１ｃに装着する際に、電路開閉部２１ａ及び２１ｃの少なくとも一方のバイパス金具２７ａ又は２７ｃの降下量が少なく、バイパス金具２７ａ又は２７ｃが電力量計側接続端子２４ａ又は２４ｃに接触している場合には、誤装着防止用突出片４８ａ又は４８ｃがバイパス金具２７ａ又は２７ｃに当接することになり、電路開閉制御部４０の裏面が配線接続部４より浮いてしまうことになる。このため、バイパス金具２７ａ又は２７ｃの降下不良を検出することができ、電路開閉制御部４０の誤装着を防止することができる。
【００３３】
このように、上記実施形態によれば、電路開閉部２１ａ及び２１ｃの雄ねじ２９ａ，２９ｃ及び３０ａ，３０ｃを個別に緩めることにより、バイパス金具２７ａ及び２７ｃが自重によって下降して、電力量計量部２５と負荷側配線接続部８ａ〜８ｃとの間が遮断状態となり、負荷側配線６ａ〜６ｃに対する電力供給が遮断される。この状態で、電路開閉制御部４０を電路開閉部２１ａ及び２１ｃに装着することにより、以後は電力会社側で開閉信号をオン状態とすることにより、リレー駆動回路５２で電源リレー５１ａ及び５１ｃをオン状態として電力量計側接続端子２４ａ，２４ｃと負荷側配線接続部６ａ〜６ｃに電力を供給することができる。
【００３４】
このとき、電路開閉制御部４０を配線接続部４に装着する際に、電源側配線接続部７ａ〜７ｃや負荷側配線接続部８ａ〜８ｃで電源側配線５ａ〜５ｃや負荷側配線６ａ〜６ｃを取り外す必要がなく、短絡事故の発生を防止することができると共に、電路開閉制御部４０の取付スペースが無い場合でも電力量計１が取付けてあれば、電路開閉制御部４０の取付けを容易に行うことができる。
【００３５】
しかも電路開閉制御部４０の背面側には誤装着防止用突出片４８ａ及び４８ｃが設けられているので、電路開閉部２１ａ及び２１ｃでのバイパス金具２７ａ及び２７ｃの下降が不完全で、バイパス金具２７ａ及び２７ｃが電力量計側接続端子２４ａ及び２４ｃに接触している状態を維持している場合には、これらバイパス金具２７ａ及び２７ｃに誤装着防止用突出片４８ａ及び４８ｃが当接して、それ以上の電路開閉制御部４０の装着が防止されるので、負荷側接続端子２３ａ及び２３ｃと電力量計側接続端子２４ａ及び２４ｃとの電気的分離が不完全な状態で電路開閉制御部４０を装着することを確実に防止することができる。
【００３６】
さらに、電路開閉制御部４０を電路開閉部２１ａ及び２１ｃに装着したときに、電路開閉部２１ａ及び２１ｃの雄ねじ２９ａ，２９ｃ及び３０ａ，３０ｃを使用してネジ止めするので、雄ねじ２９ａ，２９ｃ及び３０ａ，３０ｃを紛失してしまうことを防止することができる。
なお、上記実施形態においては、電路開閉部２１ａ及び２１ｃのバイパス金具２７ａ及び２７ｃが上下方向に摺動する場合について説明したが、これに限定されるものではなく、任意の方向に摺動させたり、回動させたりすることにより、導通状態及び非導通状態を形成するようにしてもよい。
また、上記実施形態においては単相３線式の電力量計について説明したが、これに限定されるものではなく、単相２線式や三相３線式の電力量計についても本発明を適用することができる。
【図面の簡単な説明】
【００３７】
【図１】本発明の一実施形態を電路開閉部が導通状態である場合を示す正面図である。
【図２】図１の斜視図である。
【図３】電路開閉部が非導通状態である場合を示す正面図である。
【図４】電路開閉制御部を装着する場合の斜視である。
【図５】電路開閉制御部を示す正面図、底面図、側面図及び斜視図である。
【図６】電路開閉制御部のブロック図である。
【符号の説明】
【００３８】
１…電力量計、２…表示部、４…配線接続部、５ａ〜５ｃ…電源側配線、６ａ〜６ｃ…負荷側配線、７ａ〜７ｃ…電源側配線接続部、８ａ〜８ｃ…負荷側配線接続部、９…端子台、１０ａ及び１０ｂ…電源供給部、２１ａ，２１ｃ…電路開閉部、２３ａ及び２３ｃ…負荷側接続端子、２４ａ及び２４ｃ…電力量計側接続端子、２５…電力量計量部、２６ａ，２６ｃ…ガイド片、２７ａ，２７ｃ…バイパス金具、２９ａ，２９ｃ，３０ａ３０ｃ…雄ねじ、４０…電路開閉制御部、４２ａ，４２ｃ、４３ａ、４３ｃ…突出筒部、４８ａ，４８ｃ…誤装着防止用突出片、４９ａ及び４９ｂ…電源接触子、５１ａ，５１ｂ…電源リレー、５２…リレー駆動回路、５３…信号送受信部
【図１】
0005074990.tif 000002
【図２】
0005074990.tif 000003
【図３】
0005074990.tif 000004
【図４】
0005074990.tif 000005
【図５】
0005074990.tif 000006
【図６】
0005074990.tif 000007